(57)【要約】【課題】  本発明は、特別なアンテナ実装スペースを増設することなく、複数のキーを有するキーボードユニット装置内にアンテナを実装することを可能とする電子機器を提供する。【解決手段】  電子機器の本体ケース１に組み込まれたキーボードユニット４内にアンテナ１４、１５、…、１８を設ける。キーボードユニット４は、２枚の金属板４２ａ、４２ｂと重ねられた回路層４１からなるフレーム板４０を有し、フレーム板４０上に複数のキーや、必要に応じてプラスチック板が配列されている。このキーやプラスチック板の裏側（露出していない下面側）にアンテナ１４（１５、・・・、１８）が取り付けられている。アンテナは、給電線４５を介して回路層４１に接続され、同軸ケーブル４６の同軸グランド４６ｂが金属板４２に接続され、金属板４２はアンテナグランドとして機能する。【選択図】  図３
2006235908.tif 000002
【特許請求の範囲】
【請求項１】
金属板とこの金属板の上部に複数のキーが配列されたキーボードユニットと、このキー
ボードユニットの金属板よりも上部でかつ上記配列キーの内側に設けられたアンテナ部材
とを有し、上記金属板が上記アンテナ部材のグランドとして機能することを特徴とする電
子機器。
【請求項２】
上記キーボードユニットに配列されたキーはユーザによって接触される接触部を有する
プラスチック製のキートップ部を有し、上記アンテナ部材は上記キートップ部の接触部の
裏側にその一部あるいは全部が実装されていることを特徴とする請求項１記載の電子機器
。
【請求項３】
上記キーボードユニットに配列されたキーはユーザによって接触される第１の面を有す
るプラスチック製のキートップ部を有し、上記アンテナ部材は上記キートップ部の第１の
面と反対の第２の面にその一部あるいは全部が実装されていることを特徴とする請求項１
記載の電子機器。
【請求項４】
上記アンテナ部材は、上記複数のキーのうち２つ以上のキーの内側に設けられ、この複
数のアンテナ部材によりアレイアンテナを形成していることを特徴とする請求項１乃至３
記載の電子機器。
【請求項５】
上記アンテナ部材は、上記複数のキーのうち２つ以上のキーの内側に設けられ、この複
数のアンテナ部材によりダイバーシティアンテナを形成していることを特徴とする請求項
１乃至３記載の電子機器。
【請求項６】
金属板とこの金属板の上部に複数のキーが配列されたキーボードユニットと、このキー
ボードユニットの金属板よりも上部で上記複数のキーが配列されていない箇所に設けられ
たアンテナ部材とを有し、上記金属板が上記アンテナ部材のグランドとして機能すること
を特徴とする電子機器。
【請求項７】
上記キーボードユニットは上記金属板の上部でかつ上記配列キーと並んで設けられたプ
ラスチック板を有し、上記アンテナ部材は上記キーボードユニットの金属板の上部でかつ
上記プラスチック板の内側に設けられることを特徴とする請求項６記載の電子機器。
【請求項８】
上記アンテナ部材は、複数設けられ、この複数のアンテナ部材によりアレイアンテナを
形成していることを特徴とする請求項６及び請求項７記載の電子機器。
【請求項９】
上記アンテナ部材は、複数設けられ、この複数のアンテナ部材によりダイバーシティア
ンテナを形成していることを特徴とする請求項６及び請求項７記載の電子機器。
【請求項１０】
本体部と、
上記本体部に回動可能に接続された表示部と、
上記本体部に設けられ、金属板とこの金属板の上部に複数のキーが配列されたキーボー
ドユニットと、
このキーボードユニットの金属板よりも上部でかつ上記配列キーの内側あるいは上記配
列キーに隣接して設けられたアンテナ部材と
を有し、上記金属板が上記アンテナ部材のグランドとして機能することを特徴とする電
子機器。
【請求項１１】
上記キーボードユニットに配列されたキーはユーザによって接触される接触部を有する
プラスチック製のキートップ部を有し、上記アンテナ部材は上記キートップ部の接触部の
裏側にその一部あるいは全部が実装されていることを特徴とする請求項１０記載の電子機
器。
【請求項１２】
上記キーボードユニットに配列されたキーは、ユーザによって接触される第１の面を有
するプラスチック製のキートップ部を有し、上記アンテナ部材は上記キートップ部の第１
の面と反対の第２の面にその一部あるいは全部が実装されていることを特徴とする請求項
10記載の電子機器。
【請求項１３】
上記アンテナ部材は、上記複数のキーのうち２つ以上のキーの内側に設けられ、この複
数のアンテナ部材によりアレイアンテナを形成していることを特徴とする請求項１０乃至
１２記載の電子機器。
【請求項１４】
上記アンテナ部材は、上記複数のキーのうち２つ以上のキーの内側に設けられ、この複
数のアンテナ部材によりダイバーシティアンテナを形成していることを特徴とする請求項
１０乃至１２記載の電子機器。
【請求項１５】
上記アンテナ部材は、上記キーボードユニットの金属板よりも上部で、上記複数のキー
が配列されていない箇所に設けられたことを特徴とする請求項１０記載の電子機器。
【請求項１６】
上記キーボードユニットは上記金属板の上部でかつ上記配列キーと並んで設けられたプ
ラスチック板を有し、上記アンテナ部材は上記キーボードユニットの金属板の上部でかつ
上記プラスチック板の内側に設けられることを特徴とする請求項１５記載の電子機器。
【請求項１７】
上記アンテナ部材は、複数設けられ、この複数のアンテナ部材によりアレイアンテナを
形成していることを特徴とする請求項１５及び請求項１６記載の電子機器。
【請求項１８】
上記アンテナ部材は、複数設けられ、この複数のアンテナ部材によりダイバーシティア
ンテナを形成していることを特徴とする請求項１５及び請求項１６記載の電子機器。
【発明の詳細な説明】
【技術分野】
【０００１】
本発明は、金属板上に複数のキーが配列された入力装置を有し、無線通信を行うことが
可能な電子機器に関し、特に入力装置の金属板より配列キー側へのアンテナ実装に関する
。
【背景技術】
【０００２】
近年、職場などのネットワーク環境では、従来の有線ＬＡＮに置き換わるネットワーク
形態として、無線ＬＡＮが浸透してきている。また、無線ＬＡＮ以外にも、従来の有線を
用いた機器間の接続に置き換わり、無線通信によりデータの送受信を行う機器が増えてい
る。この様な無線通信用のアンテナを実装する場合、信号の送受信感度を良くするために
、できるだけ高い位置に設けることが望ましい。
【０００３】
しかし、ノート型パーソナルコンピュータ（以下、ノート型パソコンと称す）やＰＤＡ
（Ｐｅｒｓｏｎａｌ  Ｄｉｇｉｔａｌ  Ａｓｓｉｓｔａｎｔｓ）等の携帯可能な小型の電
子機器では、アンテナを実装するスペースが限られており、キーボードユニット装置の下
方にアンテナを重ねて形成する実装方法が考えられている（例えば、特許文献１参照）。
【特許文献１】特開２００１−２２９０４公報（２頁、図１）
【発明の開示】
【発明が解決しようとする課題】
【０００４】
しかしながら、従来の装置では、アンテナがキーボードユニット装置に重なり合う位置
に形成されている。従って、複数のアンテナを搭載する場合には、複数のアンテナを重な
ってしまうため通信困難となったり、複数のアンテナを距離をとって配置せざるを得ず、
薄型化が困難となる可能性がある。また、搭載されるアンテナ数が制限される可能性があ
る。
本発明は、以上の点に鑑みなされたもので、特別なアンテナ実装スペースを増設するこ
となく、複数のキーを有するキーボードユニット装置内にアンテナを実装することを可能
とする電子機器を提供することを目的とする。
【課題を解決するための手段】
【０００５】
上記目的を達成するために、本発明の電子機器は、金属板とこの金属板の上部に複数の
キーが配列されたキーボードユニットと、このキーボードユニットの金属板よりも上部で
かつ上記配列キーの内側に設けられたアンテナ部材とを有し、上記金属板が上記アンテナ
部材のグランドとして機能することを特徴とする。
【０００６】
上記目的を達成するために、本発明の電子機器は、金属板とこの金属板の上部に複数の
キーが配列されたキーボードユニットと、このキーボードユニットの金属板よりも上部で
上記複数のキーが配列されていない箇所に設けられたアンテナ部材とを有し、上記金属板
が上記アンテナ部材のグランドとして機能することを特徴とする。
【０００７】
上記目的を達成するために、本発明の電子機器は、本体部と、上記本体部に回動可能に
接続された表示部と、上記本体部に設けられ、金属板とこの金属板の上部に複数のキーが
配列されたキーボードユニットと、このキーボードユニットの金属板よりも上部でかつ上
記配列キーの内側あるいは上記配列キーに隣接して設けられたアンテナ部材とを有し、上
記金属板が上記アンテナ部材のグランドとして機能することを特徴とする。
【発明の効果】
【０００８】
本発明によれば、特別なアンテナ実装スペースを増設することなく、複数のキーを有す
るキーボードユニット装置内にアンテナを実装することができる。
【発明を実施するための最良の形態】
【０００９】
以下、この発明の実施の形態について、図面を参照して詳細に説明する。図１は、本実
施の形態に係る電子機器の斜視図である。本実施の形態において、電子機器は、例えばノ
ート型パソコンＡとして実現される。このノート型パソコンＡは、ＩＥＥＥ８０２．１１
ｂ方式の無線ＬＡＮによる第１の無線通信と、Ｂｌｕｅｔｏｏｔｈ（登録商標、以下、Ｂ
Ｔと称す）による第２の無線通信を行なうことが可能な電子機器である。
【００１０】
ＩＥＥＥ８０２．１１ｂは、２．４ＧＨｚ帯のＩＳＭ（Industry Science Medical）バ
ンドを使用する無線通信規格の一つであり、スペクトラム拡散方式として直接拡散方式（
ＤＳＳＳ：Ｄｉｒｅｃｔ Ｓｅｑｕｅｎｃｅ Ｓｐｒｅａｄ Ｓｐｅｃｔｒｕｍ）を用い、
最大１１Ｍｂｐｓの通信速度で通信することが可能である。
【００１１】
ＢＴは、短距離の無線通信規格（例えばＢｌｕｅｔｏｏｔｈ  Ｖｅｒ１．２規格）に対
応する無線通信である。ＢＴは、２．４ＧＨｚ帯のＩＳＭ（Industry Science Medical）
バンドを用いて１０ｍ以内（最大１００ｍ）の無線通信を実現するものである。ＢＴは、
スペクトラム拡散方式として周波数ホッピング方式（ＦＨＳＳ：Ｆｒｅｑｕｅｎｃｙ Ｈ
ｏｐｐｉｎｇ ＳｐｒｅａｄＳｐｅｃｔｒｕｍ）を用い、最大１Ｍｂｐｓの通信速度で、
最大８台までの機器を時分割多重方式によって一つのグループ（ピコネット）として接続
することが可能である。
【００１２】
図１に示すノート型パソコンＡは、本体ケース１と表示部ケース２とを有している。本
体ケース１と表示部ケース２は、ヒンジ部３を介して回動可能に接続している。本体ケー
ス１の上面部には、配列されたキーが外部に露出するようキーボードユニット４が組み込
まれている。本体ケース１の上面部には、更にタッチパッド６が配設されている。
【００１３】
表示部ケース２には、ＬＣＤ５（Liquid Crystal Display）からなる表示装置の表示領
域がそのほぼ中央に位置するよう組み込まれている。表示部ケース２は、ヒンジ部３を介
して矢印Ｂ−Ｃ方向に、キーボードユニット４の配列キーを覆う閉位置と、キーボードユ
ニット４の配列キーを使用可能な状態にする開位置との間で回動可能である。
【００１４】
表示部ケース２のＬＣＤ５を支持している上辺部には無線ＬＡＮ（ＩＥＥＥ８０２．１
１）で使用するダイバシティアンテナ１１、１２と、ＢＴで使用するＢＴアンテナ１３（
図中、各アンテナ共に点線で示す）とが設けられている。
【００１５】
ダイバシティ方式で用いるダイバシティアンテナを構成する場合には、各アンテナ１１
、１２間の距離を３／４λ（λ：波長）以上に設定することが一般的である。本実施例で
は、ダイバシティアンテナ１１，１２の配置位置は、互いに３／４λ以上離して配置され
ている。本実施例では、ダイバシティアンテナ１１，１２は逆Ｆ型アンテナからなる。又
、ＢＴアンテナは単一のアンテナを用い、その構造は、例えば逆Ｆ型アンテナやモノポー
ルアンテナ等で構成される。
【００１６】
無線アンテナは、その受信感度を良くするため、高位置に設けるのが理想である。その
ため、ノート型パソコンＡを使用する状況を考慮して、使用時に高い位置となる表示部ケ
ース２の上部に、ダイバシティアンテナ１１、１２とアンテナ１３とを設けている。
【００１７】
各アンテナ１１〜１３は、図示せぬ同軸ケーブルにより、図示せぬ無線ＬＡＮ（第１の
無線通信）モジュール２１およびＢＴ（第２の無線通信）モジュール２２に夫々接続して
いる。無線ＬＡＮモジュール２１およびＢＴモジュール２２は、表示部ケース２内におけ
るＬＣＤ５の背面や、本体ケース１内の回路基板に設けることが可能である。
【００１８】
本ノート型パソコンＡは、更に第３および第４の無線通信を行なうことが可能な電子機
器である。無線アンテナは、上述するように、高位置に設けることが理想であるが、表示
部ケース２の上辺部には既に第１および第２の無線通信で使用されるアンテナ１１〜１３
が設けられている。
【００１９】
従って、図１に示すノート型パソコンＡにおいては、本体ケース１に組み込まれたキー
ボードユニット４内（図中、一点鎖線で示すエリア３０内）に、第３および第４の無線通
信で使用するアンテナ１４、１５、…、１８（図示せぬ）を設けている。キーボードユニ
ット４内におけるアンテナ配置位置については後述する。
【００２０】
各アンテナ１４、１５、…、１８は、図示せぬ同軸ケーブルにより、本体ケース１内部
の回路基板に設けられた第３および第４の無線通信モジュール２３、２４（図中、太い点
線で示す）に夫々接続している。
【００２１】
次に、図２を参照して、ノート型パソコンＡのシステム構成について説明する。ノート
型パソコンＡは、図２に示すように、ＣＰＵ１１１、ノースブリッジ１１２、主メモリ１
１３、グラフィックスコントローラ１１４、ＬＣＤ５、サウスブリッジ１１６、ハードデ
ィスクドライブ（ＨＤＤ）１１７、光ディスクドライブ（ＯＤＤ）１１８、ＵＳＢ（Univ
ersal Serial Bus）コントローラ１１９、無線ＬＡＮモジュール２１、ＢＴモジュール２
２、第３の無線通信モジュール２３、第４の無線通信モジュール２４、ＢＩＯＳ−ＲＯＭ
１２１およびエンベデッドコントローラ／キーボードコントローラＩＣ（ＥＣ／ＫＢＣ）
１２２等を備えている。
【００２２】
ＣＰＵ１１１は、本パソコンＡの動作を制御するために設けられたプロセッサであり、
ハードディスクドライブ（ＨＤＤ）１１７から主メモリ１１３にロードされた各プログラ
ムを実行する。また、ＣＰＵ１１１は、ＢＩＯＳ−ＲＯＭ１２１に格納されたシステムＢ
ＩＯＳ（Basic Input Output System）も実行する。システムＢＩＯＳはハードウェア制
御のためのプログラムである。
【００２３】
ノースブリッジ１１２はＣＰＵ１１１のローカルバスとサウスブリッジ１１６との間を
接続するブリッジデバイスである。また、ノースブリッジ１１２は、ＡＧＰ（Accelerate
d Graphics Port）バスなどを介してグラフィクスコントローラ１１４との通信を実行す
る機能も有している。
【００２４】
グラフィクスコントローラ１１４は、ＬＣＤ５を制御する表示コントローラである。こ
のグラフィクスコントローラ１１４は、ビデオメモリ（ＶＲＡＭ）１１４Ａに書き込まれ
た映像データからＬＣＤ５に送出すべき表示信号を生成する。サウスブリッジ１１６は、
ＬＰＣ（Low Pin Count）バス上の各デバイス、およびＰＣＩ（Peripheral Component In
terconnect）バス上の各デバイスを制御する。
【００２５】
サウスブリッジ１１６は、ＨＤＤ１１７、ＯＤＤ１１８を制御するためのＩＤＥ（Inte
grated Drive Electronics）コントローラを内蔵している。又、サウスブリッジ１１６は
、ＵＳＢコントローラ１１９をアクセス制御するための機能、および第２と第３の無線通
信モジュール２２，２３を制御するための機能をも有している。
【００２６】
ＨＤＤ１１７は、各種ソフトウェア及びデータを格納する記憶装置である。ＯＤＤ１１
８は、例えばＤＶＤ、ＣＤなどの記憶メディアを駆動するためのドライブユニットである
。ＵＳＢコントローラ１１９は、本コンピュータ１０とＵＳＢ規格に対応する周辺機器と
の間を接続するバスインターフェースである。
【００２７】
エンベデッドコントローラ／キーボードコントローラＩＣ（ＥＣ／ＫＢＣ）１２２は、
電力管理のためのエンベデッドコントローラ（ＥＣ）と、キーボードユニット（ＫＢ）４
およびタッチパッド６を制御するためのキーボードコントローラ（ＫＢＣ）とが集積され
た１チップマイクロコンピュータである。ＢＩＯＳ−ＲＯＭ２１５には、ＢＩＯＳが格納
されている。このＢＩＯＳは本システム内のハードウェアコンポーネントを制御するため
のプログラムである。
【００２８】
無線ＬＡＮモジュール２１は、ＩＥＥＥ８０２．１１ｂ規格に準拠した無線データの変
復調処理を行う。無線ＬＡＮモジュール２１は、互いに異なる位置にそれぞれ設けられた
複数のアンテナを用いるダイバシティ通信方式に対応している。無線ＬＡＮモジュール２
１は、図示せぬ同軸ケーブルを介して無線信号送受信のインターフェースとなるダイバシ
ティアンテナ１１、１２と接続している。
【００２９】
ダイバシティ方式では、全てのアンテナは送受信機能を有し、受信の際は、受信レベル
が高い方のアンテナに切換えながら使用し、受信電波のレベル変動を極力少なくするもの
である。また、送信の際には、前回の受信時の感度が良いアンテナを使用するというもの
である。
【００３０】
ＢＴモジュール２２は、ＢＴの通信方式に準拠した無線データの信号変復調および周波
数ホッピング制御等を行う。ＢＴモジュール２２は、図示せぬ同軸ケーブルを介して無線
信号送受信のインターフェースとなるＢＴアンテナ１３と接続している。
【００３１】
第３の無線通信モジュールは、第３の通信方式に準拠した無線データの信号変復調処理
を行う。第３の通信方式は、上述したＢＴのように、単一のアンテナを用いて無線通信処
理を行うものとする。第３の無線通信モジュールは、図示せぬ同軸ケーブルを介して無線
信号送受信のインターフェースとしてのアンテナ１４と接続している。このアンテナ１４
は、後述するように、本体ケース１のキーボードユニット４内（エリア３０内）に配置さ
れている。
【００３２】
第４の無線通信モジュールは、第４の通信方式に準拠した無線データの信号変復調処理
を行う。この第４の通信方式は、上述するダイバーシティ方式のＩＥＥＥ８０２．１１ｂ
のように、複数のアンテナを用いて無線通信処理を行うものとする。第４の無線通信モジ
ュールは、図示せぬ同軸ケーブルを介して無線信号送受信のインターフェースとしての複
数のアンテナ１５、・・・、１８と接続している。この複数のアンテナ１５、・・・、１
８は、後述するように、本体ケース１のキーボードユニット４内（エリア３０内）に配置
されている。
【００３３】
上記システム構成により、外部の無線通信機器との間で、ＢＴ、ＩＥＥＥ８０２．１１
ｂ、第３および第４の無線通信方式に準拠した無線通信を行なうことが可能である。尚、
本実施例では、ＢＴ、ＩＥＥＥ８０２．１１ｂのためのアンテナ１１、１２、１３を表示
部ケース２に設置しているが、これに限らず、本体ケース１のキーボードユニット４内に
配置することも可能である。
【００３４】
次に、図３乃至図５を用いて、キーボードユニット４の設置エリア３０内におけるアン
テナの配置について説明する。本実施例では、パッチアンテナを用いて説明するが、アン
テナ構造はこれに限らない。又、本実施例では、パンタグラフ式の機構で構成されたキー
からなるキーボードユニットを用いて説明するが、キーの機構や配置はこれに限定されな
い。
【００３５】
図３は、キーボードユニット４に設けられたキーとアンテナの構造を示す断面図である
。図３に示すキーボードユニット４は、キーボードユニット４の回路層４１からなるフレ
ーム板４０を有している。このフレーム板４０は、回路層４１の上面に第１の金属板４２
ａ、回路層４１の下面に第２の金属板４２ｂ（以下、４２ａと４２ｂとをあわせて４２と
称す。）が重ねられて形成されている。
【００３６】
キーボードユニット４に設けられたキーは、ユーザによって接触されるプラスチック製
のキートップ４３を有する。このキートップ４３は、フレーム板４０上にパンタグラフ４
４を介して上下動するよう保持される。キーボードユニット４のフレーム板４０上には、
このように構成された複数のキーが所定の配列で並べられている。
【００３７】
キートップ４３は、その裏側（露出していない下面側）にアンテナ１４（１５、・・・
、１８）が取り付けられている。キートップ４３裏のアンテナ１４（１５、・・・、１８
）は、給電線４５を介して回路層４１に接続されている。また、対応する無線通信モジュ
ール（２１〜２４）のいずれかと接続している同軸ケーブル４６の信号線４６ａが回路層
４１にある給電線４５と接続されている。また、同軸ケーブル４６の同軸グランド４６ｂ
が第１または第２の金属板４２のいずれかに接続されている。これにより、同軸グランド
４６ｂが接続された金属板４２は、アンテナグランドとして機能することとなる。
【００３８】
回路層４１にある給電線４５は、アンテナグランドとしての金属板４２にインピーダン
ス整合が取れた状態で挟まれて形成されている。図３は、アンテナグランドとして第１お
よび第２の金属板４２ａ、４２ｂに同軸グランド４６ｂを接続した場合の断面を示す図で
ある。尚、キーボードユニット４上に複数のアンテナ１４（１５、・・・、１８）を取り
付ける場合には、アンテナグランドとして機能する金属板４２は、いずれか一方に統一し
ても良い。
【００３９】
この給電線４５は、ユーザによるキートップ４３の上下動に追従するために、やわらか
い素材で形成されている。即ち、給電線４５は、キーが使用されていない状態においては
、図３に示すように、伸びた状態にある。また、ユーザによりキートップが押下された場
合には、給電線４５は折れ曲がる。
【００４０】
図４は、キーボードユニット４上にてキーが形成されていない箇所に設けられたプラス
チック部４８にアンテナが設けられた場合のキーボードユニット４の断面図である。キー
ボードユニット４は、図４に示すように、フレーム板４０上にパンタグラフ４４を介して
キートップ４３が複数配列されている。キーボードユニット４は、キーの配置によって、
キーとキーとの間でキーが設けられていない部分に、プラスチック板４８が配置されてい
る箇所を有する。
【００４１】
プラスチック板４８は、その裏側（露出していない下面側）にアンテナ１４（１５、・
・・、１８）が取り付けられている。プラスチック板４８裏のアンテナ１４（１５、・・
・、１８）は、給電線４５を介して回路層４１に接続されている。また、対応する無線通
信モジュール（２１〜２４）のいずれかと接続している同軸ケーブル４６の信号線４６ａ
が回路層４１にある給電線４５と接続されている。また、同軸ケーブル４６の同軸グラン
ド４６ｂが第１または第２の金属板４２のいずれかに接続されている。これにより、同軸
グランド４６ｂが接続された金属板４２は、アンテナグランドとして機能することとなる
。
【００４２】
プラスチック板４８は上下動しない構成である。従って、給電線４５の素材は、図３に
示す実施例と同様にやわらかい素材であっても良く、図３に示す実施例とは異なる剛性の
素材であっても良い。尚、図４に示すキーボードユニット４では、給電線４５は、アンテ
ナグランドとして第１の金属板４２ａに接続しており、給電線４５は図３に示す実施例と
同様にやわらかい素材で形成されている。
【００４３】
図５は、アンテナ１４（１５、・・・、１８）の形状を示す図である。アンテナ１４（
１５、・・・、１８）は、図５に示すように、一般的には一辺の長さがＬ／２（Ｌは波長
）から構成される。キーの一辺の大きさは通常１５〜２０ｍｍで形成されている。従って
、キーの大きさに収まり、かつ、所望の周波数（例えばＧＰＳならば１．５ＧＨｚ、ＢＳ
ＣＳならば１２ＧＨｚ）となるよう、アンテナ形状（長さ、厚さ、構造など）や、誘電体
との関係（配置、取付方、組込方など）を調整することとなる。また、本実施例では、パ
ッチアンテナを用いて説明したが、アンテナの形状によってモノポールアンテナや逆Ｆ型
アンテナ等を形成することも可能である。
【００４４】
アンテナ１４（１５、・・・、１８）が設けられたキートップ４３は誘電体である。し
たがって、アンテナ１４（１５、・・・、１８）は、キートップ４３の誘電率に応じて波
長短縮が生じる。更に、ユーザがキートップ４３に接触することにより、アンテナ１４（
１５、・・・、１８）に生じる波長短縮は更に変化する。また、ユーザがキートップ４３
を押下することにより、アンテナ１４（１５、・・・、１８）に特性変化が生じる。
【００４５】
従って、アンテナ１４（１５、・・・、１８）をキーボードユニット４内に取り付ける
際には、ユーザがキーボードユニット４を操作する場合に、ユーザによる接触／押下頻度
の少ない部分にアンテナ１４（１５、・・・、１８）を配置することがより効果的である
。本実施例では、図６に示すキーボードユニット４においては、エリア５０（点線で図示
）にアンテナ１４（１５、・・・、１８）を配置することが望ましい。
【００４６】
エリア５０内において、キーボードユニット４は、例えば、最上段にはファンクション
機能が割り当てられるキー群５１、二段目には数字機能が割り当てられるキー群５２、両
サイドにはシフト等の特殊機能が割り当てられるキー群５５、５６、及びプラスチック板
４８が設けられた箇所５３、５４を含んでいる。従って、これらのキー群５１、５２、５
５、５６やプラスチック板の箇所５３、５４にアンテナ設置することが効果的である。
【００４７】
次に、図７乃至図９を用いて、エリア５０内におけるアンテナ１４（１５、・・・、１
８）の配置の一例を説明する。図７に示すキーボードユニット４は、最上段のキー群５１
及び二段目のキー群５２にアンテナ１４（１５、・・・、１８）が配置されている。
【００４８】
図８に示すキーボードユニット４は、最上段のキー群５１と二段目のキー群５２の間に
設けられたプラスチック板４８の箇所５３、及び右サイドのキー群５６内に設けられたプ
ラスチック板４８の箇所５４にアンテナ１４（１５、・・・、１８）が配置されている。
【００４９】
図９に示すキーボードユニット４は、両サイドのキー群５５、５６にアンテナ１４（１
５、・・・、１８）が配置されている。アンテナ１５、・・・、１８に、ダイバシティア
ンテナとして逆Ｆ型アンテナを取り付ける場合には、図９に示すように、両サイドのキー
群５５、５６に多く設けられている大きめのキーに取り付けるのが効果的である。
【００５０】
以上の通り、本体ケース１に組み込まれたキーボードユニット４内にアンテナ１４、１
５、…、１８を設ける。又、キーボードユニット４上における使用（あるいは接触）頻度
の少ないキーや、ユーザのキー操作で使用（あるいは接触）されない部分にアンテナ１４
（１５、・・・、１８）を配置している。
【００５１】
アレイアンテナのような多数のアンテナを実装する場合であっても、特別なアンテナ実
装スペースを増設することなく、複数のキーからなる入力装置のエリア内へのアンテナ実
装を可能とする。又、アレイ化されたアンテナを選択制御することにより、アンテナを動
かすことなく、受信レベルを高くすることが可能となる。
【図面の簡単な説明】
【００５２】
【図１】本発明に係る電子機器としてのノート型パソコンＡの斜視図。
【図２】ノート型パソコンＡのシステム構成を示すブロック図。
【図３】キーボードユニット４のキーに設けられたアンテナの構造を示す断面図。
【図４】キーボードユニット４上にてキーが形成されていない箇所に設けられたプラスチック部４８にアンテナが設けられた場合のキーボードユニット４の断面図。
【図５】アンテナ１４（１５、・・・、１８）の形状を示す図。
【図６】キーボードユニット４におけるユーザの接触頻度の少ない部分を説明するための図。
【図７】エリア５０内におけるアンテナ１４（１５、・・・、１８）の配置の一例を説明するための図。
【図８】エリア５０内におけるアンテナ１４（１５、・・・、１８）の配置の一例を説明するための図。
【図９】エリア５０内におけるアンテナ１４（１５、・・・、１８）の配置の一例を説明するための図。
【符号の説明】
【００５３】
Ａ    ノート型パソコン
１    本体ケース
２    表示部ケース
４    キーボード
５    表示装置（ＬＣＤ）
６    タッチパッド
１１〜１８    アンテナ
２１    無線ＬＡＮ（第１の無線通信）モジュール
２２    ＢＴ（第２の無線通信）モジュール
２３    第３の無線通信モジュール
２４    第４の無線通信モジュール
３０    キーボードユニット４の設置エリア
４０    フレーム板
４１    回路層
４２    金属板
４３    キートップ
４４    パンタグラフ
４５    給電線
４６    同軸ケーブル
４８    プラスチック板
５０〜５５    キーボードユニット４におけるユーザの接触頻度の少ないエリア
【図１】
2006235908.tif 000003
【図２】
2006235908.tif 000004
【図３】
2006235908.tif 000005
【図４】
2006235908.tif 000006
【図５】
2006235908.tif 000007
【図６】
2006235908.tif 000008
【図７】
2006235908.tif 000009
【図８】
2006235908.tif 000010
【図９】
2006235908.tif 000011